(57)【要約】      （修正有）【課題】積載物を均等なテンションで包囲し、より確実に積載物の荷崩れを防止することができる荷崩れ防止シートを提供する。【解決手段】パレット上に荷を積載した積載物の周囲に巻掛けて荷崩れを防止するシートであって、長尺な非伸縮性のシート本体１と、シート本体の長手方向に沿って少なくとも上下一対に設けられ、両端部が着脱自在な締め込みベルト２、３とを備える。シート本体には上下一対の締め込みベルトの中間部に、さらにシート本体の長手方向に沿って締め込みベルトを追加してもよい。締め込みベルトの両端部の着脱手段は、バックルや面ファスナーを採用する。また、シート本体は、多数の透孔１ａを有する非伸縮性のネット材を採用するのが好ましい。【選択図】図１
0003223405.tif 000002
【実用新案登録請求の範囲】
【請求項１】
パレット上に荷を積載した積載物の周囲に巻掛けて荷崩れを防止するシートであって、長尺な非伸縮性のシート本体と、該シート本体の長手方向に沿って少なくとも上下一対に設けられ、両端部が着脱自在な締め込みベルトとを備えたことを特徴とする荷崩れ防止シート。
【請求項２】
シート本体には上下一対の締め込みベルトの中間部に、さらに前記シート本体の長手方向に沿って締め込みベルトを追加した請求項１記載の荷崩れ防止シート。
【請求項３】
締め込みベルトは端部それぞれに互いに着脱自在に係止する雄雌のバックルを有する請求項１または２記載の荷崩れ防止シート。
【請求項４】
締め込みベルトは端部それぞれに互いに着脱自在に係止する雄雌の面ファスナーを有する請求項１または２記載の荷崩れ防止シート。
【請求項５】
シート本体は、複数の透孔を有する非伸縮性のネット材である請求項１から４のうち何れか一項記載の荷崩れ防止シート。
【考案の詳細な説明】
【技術分野】
【０００１】
この考案は、パレット上に荷を積載した積載物の荷崩れを防止するシートに関するものである。
【背景技術】
【０００２】
本考案に関連する荷崩れ防止具として特許文献１に開示の構成が公知である。即ち、当該荷崩れ防止具は、パレット上の積載物を包囲して固定する長尺幅の長方形ネット状シートと、前記長方形ネット状シートの長手方向の左右端縁を折返して形成された左右筒状部と、前記左右筒状部に形成された複数個の左右切欠部と、前記左右筒状部に挿通固定されて前記左右切欠部で部分的に露出する左右保持棒と、前記左切欠部で露出した左保持棒に連結固定されたリング金具と、前記右切欠部で露出した右保持棒に連結固定されたベルト状締付具と、前記ベルト状締付具の表面に形成された締付用ファスナー面とから構成され、パレット上の積載物を包囲して前記ベルト状締付具を前記リング金具に挿通して折返した後締付け前記締付用ファスナー面により係止固定するものである。
【０００３】
当該荷崩れ防止具によれば、図３に示すように、パレット１４上の積載物１６に長方形ネット状シート４０を巻回し、その左右保持棒６０・７０のうちの一方をパレット１４上で積載物１６に立てかけて、他方を巻回し、前記左右保持棒６０・７０を略平行にして、締付用ファスナー面１０ａで係止固定するため、１度の巻回で、短時間内に一人作業で確実に前記積載物の荷崩れの防止ができるとされる。
【先行技術文献】
【特許文献】
【０００４】
【特許文献１】実用新案登録第３１３９１１９号公報
【考案の概要】
【考案が解決しようとする課題】
【０００５】
しかしながら、上記特許文献１の荷崩れ防止具では、積載物を包囲する長方形ネット状シートとして、伸縮性を有するネット材を採用するため、積載物に巻回した後も伸縮が許容され、運搬中に積載物の一部がぐらいついて荷崩れを起こすおそれがある。これを防止するために締付用ファスナー面の締め込みをきつくしても、長方形ネット状シートは積載物のコーナーを境にファスナー面側ばかりがテンションが上がり、その反対側ではテンションが上がらないなど、積載物の全周を均等なテンションで拘束することが困難であった。
【０００６】
本考案は上述した課題を解決するためになされたもので、その目的とするところは、積載物を均等なテンションで拘束し、より確実に積載物の荷崩れを防止することができる荷崩れ防止シートを提供することにある。
【課題を解決するための手段】
【０００７】
上述した目的を達成するために本考案では、パレット上に荷を積載した積載物の周囲に巻掛けて荷崩れを防止するシートであって、長尺な非伸縮性のシート本体と、該シート本体の長手方向に沿って少なくとも上下一対に設けられ、両端部が着脱自在な締め込みベルトとを備えるという手段を用いた。当該手段では、シート本体をパレット上の積載物に巻掛けた後、締め込みベルトの両端部を係止し、適宜、当該締め込みベルトの長さを調整することで、積載物の荷崩れを防止する点で従来と同じ基本的作用を行うが、本考案では積載物を巻回するシート本体が非伸縮性であるため、締め込みベルトの着脱端部側だけでなく、全周において均等なテンションをもって積載物を拘束することができる。
【０００８】
シート本体の長さや上下幅は、積載物の大きさや高さに応じて種々サイズのものを用意可能である。ここで嵩高い積載物に適用する場合、上下幅を拡張したシート本体を採用することが有意である。そして、このような上下幅が拡張されたシート本体に対しては、上下一対の締め込みベルトの中間部に、さらに締め込みベルトを追加するという手段を用いることもある。ここで中間部とは、厳格に中間のみを意味するものではなく、おおよその範囲をも含む概念である。また、追加する締め込みベルトはシート本体の中間部に１本あれば目的を達成することができるが、上下等間隔に２本以上を追加することも本考案から排除するものではない。
【０００９】
なお、締め込みベルトの両端部における着脱方法は、バックルであればワンタッチで係止が完了するため作業性がよく、面ファスナーであれば係止箇所を調整することで当該ベルトの長さ調整も同時に行うことが可能となる。この他、ズボンのベルトのように長さ方向に複数の孔を有して、その中から選択した一の穴にピンを差し込んで係止するタイプのベルトであってもよい。
【００１０】
一方、シート本体は、本考案では伸縮性のものは想定しておらず、よって漁網のような編物は対象外であるが、複数の透孔を有する非伸縮性のネット材によって構成することは可能である。この場合、透孔を通じて積載物を視認することが主たる作用となる。したがって、シート本体の非伸縮性を失わず、積載物を視認することができる態様であれば、透孔の大きさや数は限定されない。
【考案の効果】
【００１１】
本考案によれば、積載物を拘束して荷崩れを防止するシート本体が非伸縮性であるため、積載物の全周を均等なテンションで拘束し、より確実に積載物の荷崩れを防止することができる。
【図面の簡単な説明】
【００１２】
【図１】本考案の第一の実施形態に係る荷崩れ防止シートの展開図
【図２】本考案の第２の実施形態に係る荷崩れ防止シートの展開図
【図３】従来の荷崩れ防止具を示す使用説明図
【考案を実施するための形態】
【００１３】
以下、本考案の好ましい実施の形態を添付した図面に従って説明する。図１は、本考案の第一の実施形態に係る荷崩れ防止シートを示したものであって、同図中、１は長尺な矩形状のシート本体、２・３はシート本体１の上下縁に設けた締め込みベルトである。シート本体１は厚み方向に貫通する多数の透孔１ａを形成したネット材であるが、本考案では非伸縮性である。上下一対の締め込みベルト２・３は同じ構成のものを採用し、それぞれの両端部には互いに着脱自在に係止する雄雌のバックル４ａ・４ｂを備えている。このうち少なくとも一方のバックルには、締め込みベルト２・３の長さ調整部５を設けている。なお、６はシート本体１の左右縁に設けた補強帯であり、積載物に巻掛ける際に締め込みベルト２・３と共にシート本体１の保形性を維持するものである。
【００１４】
シート本体１や締め込みベルト２・３の寸法は積載物に対応して変更されるが、一例として、シート本体１は全長Ｌ１が３６０±２ｃｍ、上下幅Ｗが４５±１ｃｍとし、締め込みベルト２・３は、全長４６２±３．５ｃｍとし、片側におけるシート本体１からの突出長Ｌ２は９３±１ｃｍ、反対側の突出長Ｌ３は９±０．５ｃｍとすることができる。
【００１５】
上記第一実施形態が本考案の最も基本的な構成であるが、一枚のシートでより嵩高い積載物に対応させるため、図２に示す第二実施形態のように、シート本体７として上下幅を第一実施形態の約２倍（１００ｃｍ）に拡張したシート材を採用することもある。この場合、シート本体７の中間に上下一対の締め込みベルト２・３と平行して同一構成の締め込みベルト８を追加することもある。
【００１６】
上記実施形態による荷崩れ防止シートの使用方法は、図３に示した従来例と変わりはなく、パレット上の積載物にシート本体１・７を巻掛け、締め込みベルト２・３・８の両端部をバックル４ａ・４ｂによって係止し、適宜、長さ調整部５によって締め込みベルト２・３・８の長さを調整して積載物を荷崩れしない程度に拘束するものであるが、本考案では、シート本体１・７が非伸縮性であるため、その全長に亘って均等なテンションがかかり、積載物を均一な力に拘束することができる。従って、拘束力が不均一となりやすい伸縮性ネット材を採用した従来の荷崩れ防止具に比べて、より確実に積載物の荷崩れを防止することができる。
【００１７】
なお、上記実施形態ではシート本体１・７が有する多数の透孔１ａを通じて積載物を視認することができるという利点があるが、非伸縮の状態で積載物を拘束可能な素材であれば透孔１ａの有無は問わない。
【００１８】
一方、締め込みベルト２・３・８もまた非伸縮性の素材からなるが、両端部の着脱手段は上記実施形態にて例示したバックル４ａ・４ｂに限らず、雄雌の面ファスナーであってもよい。バックル４ａ・４ｂであれば、ワンタッチで係止が完了するという利便性があるが、面ファスナーであれば、係止位置を調整することで、長さ調整部５によらずとも締め込みベルトの長さ調整が可能となり、面ファスナーを係止する段階で積載物の締め込み具合を調整することも可能となる。
【符号の説明】
【００１９】
１・７  シート本体
２・３・８  締め込みベルト
４ａ・４ｂ  バックル
５  長さ調整部
６  補強帯
【図１】
0003223405.tif 000003
【図２】
0003223405.tif 000004
【図３】
0003223405.tif 000005